(57)【要約】【課題】感光体の画像形成領域の全領域を帯電可能とし、印字不良の発生を防止する。【解決手段】画像形成裝置は、感光層を有する感光体（感光ドラム１１）を具備する複数の画像形成ユニット１０を、感光体の軸方向にずらして隣接して配置することで、隣接する複数の画像形成ユニットによって共同して画像を形成する。隣接する複数の画像形成ユニット１０Ａ，１０Ｂは、感光体の軸方向において、感光体の画像形成領域ＰＲ，ＰＬが重なる重複領域ＰＤを有している。感光体は、軸方向における重複領域側の端部に段差部９３を有している。段差部は、大径部９１と大径部よりも径の小さい小径部９２とによって形成されている。【選択図】図５
2014044371.tif 000002
【特許請求の範囲】
【請求項１】
感光層を有する感光体を具備する複数の画像形成ユニットを、当該感光体の軸方向にずらして隣接して配置することで、隣接する複数の画像形成ユニットによって共同して画像を形成する画像形成裝置において、
前記隣接する複数の画像形成ユニットは、前記感光体の軸方向において、当該感光体の画像形成領域が重なる重複領域を有しており、
前記感光体は、軸方向における前記重複領域側の端部に段差部を有しており、
前記段差部は、大径部と当該大径部よりも径の小さい小径部とによって形成されている
ことを特徴とする画像形成裝置。
【請求項２】
請求項１に記載の画像形成装置において、
前記感光体の前記小径部は、その表面に、前記感光層を構成する液体が塗布されていない感光層未塗布部及び前記感光層を構成する液体が溜まっている感光層液溜まり部のいずれかが形成されている
ことを特徴とする画像形成装置。
【請求項３】
請求項２に記載の画像形成装置において、
前記感光体の前記段差部は、前記感光層液溜まり部の標準的な厚さよりも高く形成されている
ことを特徴とする画像形成装置。
【請求項４】
請求項１乃至請求項３のいずれか一項に記載の画像形成装置において、
複数の前記画像形成ユニットは、それぞれ、前記感光体の表面を帯電させる帯電部材を具備しており、
前記帯電部材は、前記感光体に対し、前記大径部で前記感光体に当接するとともに、前記小径部で前記感光体から離間するように、前記段差部を跨いで、前記感光体の前記大径部及び前記小径部に対向して配置されている
ことを特徴とする画像形成装置。
【請求項５】
請求項１乃至請求項４のいずれか一項に記載の画像形成装置において、
それぞれの前記感光体は、現像剤によって形成される現像剤像を表面に担持する像担持体として機能しており、
さらに、前記感光体の表面に形成された前記現像剤像が転写された後、当該現像剤像を被転写体に再転写するベルト状の中間転写体を有し、
前記中間転写体は、全ての前記画像形成ユニットの前記感光体に対し、前記大径部で前記感光体に当接するとともに、前記小径部で前記感光体から離間するように、前記段差部を跨いで、前記感光体の前記大径部及び前記小径部に対向して配置されている
ことを特徴とする画像形成裝置。
【請求項６】
請求項１乃至請求項５のいずれか一項に記載の画像形成装置において、
前記感光体の前記感光層は、前記段差部を含む前記大径部及び前記小径部の全域に形成されている
ことを特徴とする画像形成裝置。
【請求項７】
請求項１乃至請求項６のいずれか一項に記載の画像形成装置において、
前記感光体の前記段差部は、前記大径部から前記小径部に向かって径を小さくさせる方向に傾斜する傾斜部として形成されている
ことを特徴とする画像形成裝置。
【請求項８】
感光層を有する感光体を具備する画像形成ユニットにおいて、
前記感光体は、現像剤像が形成される画像形成領域を備えており、かつ、軸方向において、隣接して配置される他の画像形成ユニットの感光体の画像形成領域と重なる重複領域を当該画像形成領域に有しており、
さらに、前記感光体は、軸方向における前記重複領域側の端部に段差部を有しており、
前記段差部は、大径部と当該大径部よりも径の小さい小径部とによって形成されている
ことを特徴とする画像形成ユニット。
【請求項９】
請求項８に記載の画像形成ユニットにおいて、
前記感光体の前記段差部は、前記感光層を構成する液体が溜まることにより形成される感光層液溜まり部の標準的な厚さよりも高く形成されている
ことを特徴とする画像形成ユニット。
【発明の詳細な説明】
【技術分野】
【０００１】
本発明は、電子写真プロセスを用いて画像を形成する画像形成装置に関し、特に、複数の画像形成ユニットを主走査方向に位置をずらした状態で複数列に分けて配置させることによって、画像形成ユニット単体の印字領域の幅よりも幅広な画像を形成する画像形成装置に関する。また、本発明は、当該画像形成装置に用いる画像形成ユニットに関する。
【背景技術】
【０００２】
従来、電子写真プロセスを用いて画像を形成する画像形成装置が、広く普及している。この種の画像形成装置は、内部に、画像形成ユニット、露光ヘッド、転写機構、及び、定着機構を有する構成になっている。
【０００３】
画像形成ユニットは、現像剤（トナー）を用いて、「現像剤像（トナー像）」と称される画像を形成するユニットである。
露光ヘッドは、外部装置から受信された印刷データに基づいて、画像形成ユニットに設けられた感光ドラムを部分的に露光する露光部である。
転写機構は、感光ドラムの表面に形成された現像剤像を被転写体（又は中間転写体）に転写する機構である。
定着機構は、現像剤像が転写された被転写体を加熱及び加圧して、現像剤像を溶融させて被転写体に定着させる機構である。
【０００４】
なお、ここでは、「被転写体」とは、用紙等の、現像剤像が転写されて定着される印字媒体を意味しているものとして説明する。また、「中間転写体」とは、感光ドラムと被転写体との間に介在して、感光ドラムの表面に形成された現像剤像が転写された後、当該現像剤像を被転写体に再転写する部材を意味しているものとして説明する。
【０００５】
画像形成ユニットは、画像形成装置に対して、着脱（装着及び取り外し）が自在なユニットとして構成されている。画像形成ユニットは、通常、内部に、感光ドラムを備え、さらに、感光ドラムの周囲に、帯電ローラ、現像ローラ、及び、クリーニング機構を備えている。
【０００６】
感光ドラムは、その表面に、現像剤像が形成される感光体である。感光ドラムは、円筒状に形成されている。
帯電ローラは、感光ドラムの表面を一様に帯電させる帯電部材である。
現像ローラは、現像剤を感光ドラムに供給して、現像剤を静電潜像の上に付着させることによって、静電潜像を現像剤像として現像（可視像化）する現像部材である。感光ドラムは、現像ローラから現像剤が供給されることによって、その表面に現像剤像が形成される。
クリーニング機構は、転写処理後（すなわち、転写機構によって現像剤像が感光ドラムから被転写体（又は中間転写体）に転写された後）に、感光ドラムの表面に残留する現像剤を除去する機構である。
【０００７】
画像形成装置は、露光ヘッドが、感光ドラムと対向するように、帯電ローラと現像ローラとの間に設けられている。また、画像形成装置は、転写機構の転写ローラが、現像ローラとクリーニング機構との間に設けられている。転写ローラは、感光ドラムの表面に形成された現像剤像を引き寄せて、現像剤像を感光ドラムから被転写体（又は中間転写体）に転写させる部材である。
【０００８】
係る構成において、画像形成装置は、まず、帯電ローラが感光ドラムの表面を一様に帯電させる。次に、画像形成装置は、露光ヘッドが印刷データに基づいて感光ドラムの表面を部分的に露光する。これにより、画像形成装置は、感光ドラムの表面に静電潜像を形成する。
【０００９】
その後、画像形成装置は、現像ローラが現像剤を感光ドラムに供給する。これにより、画像形成装置は、現像剤を静電潜像の上に付着させて、静電潜像を現像剤像として現像（可視像化）する。その結果、現像剤像が、感光ドラムの表面に形成される。
【００１０】
次に、画像形成装置は、転写機構の転写ローラが、感光ドラムの表面に形成された現像剤像を引き寄せて、現像剤像を感光ドラムから被転写体（又は中間転写体）に転写させる。なお、画像形成装置は、現像剤像を中間転写体に転写した場合に、別の転写ローラが、現像剤像を中間転写体から被転写体に転写させる。
【００１１】
画像形成装置は、現像剤像が被転写体に転写されると、定着機構が、被転写体を加熱及び加圧して、現像剤像を溶融させる。これにより、画像形成装置は、現像剤像を被転写体に定着させる。
【００１２】
また、画像形成装置は、現像剤像が被転写体に転写されると、クリーニング機構が、感光ドラムの表面に残留する現像剤を除去する。
【００１３】
ところで、近年、複数の小型な画像形成ユニット（例えば、長手方向の長さがＡ３サイズの縦幅又はＡ４サイズの縦幅と同じサイズになっている画像形成ユニット）を用いて、画像形成ユニット単体の画像形成領域（以下、「印字領域」と称する場合もある）の幅よりも幅広な媒体（例えば、Ａ２サイズ以上の媒体）に対して画像形成（印字）する画像形成装置が、提案されている（例えば、特許文献１参照）。なお、ここでは、「画像形成領域（印字領域）」とは、画像形成ユニットの現像剤像を形成する領域を意味している。
【００１４】
この画像形成装置は、複数の小型な画像形成ユニットを主走査方向に位置をずらした状態で複数列に分けて配列し、隣接する２つの画像形成ユニットの画像形成領域（印字領域）の端部部分を副走査方向に重複させて画像形成（印字）する構成になっている。以下、この画像形成装置を「従来の画像形成装置」と称する。
【先行技術文献】
【特許文献】
【００１５】
【特許文献１】特開２００４−１４５２８５号公報
【発明の概要】
【発明が解決しようとする課題】
【００１６】
通常、この種の画像形成装置は、帯電部材によって感光ドラムの画像形成領域の全領域を帯電させる必要がある。しかしながら、従来の画像形成装置は、感光ドラムの画像形成領域の端部部分に、感光層を構成する液体（以下、「感光液」と称する）が塗布されていない領域（以下、「感光層未塗布部」と称する）や感光液が溜まっている領域（以下、「感光層液溜まり部」と称する）が、発生する。感光層未塗布部や感光層液溜まり部は、帯電部材によって帯電されない帯電不良な領域となる。
【００１７】
そのため、従来の画像形成装置は、帯電不良が感光ドラムの画像形成領域の端部部分に発生して、被転写体又は中間転写体上に転写された現像剤像を汚す印字不良が発生する場合があった。
【００１８】
本発明は、前記した課題を解決するためになされたものであり、感光ドラム（感光体）の画像形成領域の全領域を帯電可能とし、印字不良の発生を防止する画像形成装置を提供することを主な目的とする。
【課題を解決するための手段】
【００１９】
前記目的を達成するため、第１発明は、感光層を有する感光体を具備する複数の画像形成ユニットを、当該感光体の軸方向にずらして隣接して配置することで、隣接する複数の画像形成ユニットによって共同して画像を形成する画像形成裝置であって、前記隣接する複数の画像形成ユニットは、前記感光体の軸方向において、当該感光体の画像形成領域が重なる重複領域を有しており、前記感光体は、軸方向における前記重複領域側の端部に段差部を有しており、前記段差部は、大径部と当該大径部よりも径の小さい小径部とによって形成されている構成とする。
【００２０】
この画像形成装置は、感光層を有する感光体を具備する画像形成ユニットを複数有している。この画像形成装置は、複数の画像形成ユニットを、感光体の軸方向にずらして隣接して配置することで、隣接する複数の画像形成ユニットによって共同して画像を形成する。
【００２１】
隣接する複数の画像形成ユニットは、感光体の軸方向において、感光体の画像形成領域が重なる重複領域を有している。感光体は、軸方向における重複領域側の端部に段差部を有している。段差部は、大径部と大径部よりも径の小さい小径部とによって形成されている。
【００２２】
したがって、この画像形成装置は、各画像形成ユニットの感光体が段差部によって大径部と小径部とに区切られている。この画像形成装置は、画像形成領域を、段差部によって小径部から区切られた大径部として形成することができる。そのため、この画像形成装置は、帯電部材を画像形成領域の全領域に良好に当接させることができる。その結果、この画像形成装置は、帯電部材が感光体の画像形成領域の全領域を帯電させることができる。
【００２３】
そのため、この画像形成装置は、帯電不良が感光体の画像形成領域の端部部分で発生するのを防止して、被転写体又は中間転写体の上に転写された現像剤像を汚す印字不良が発生するのを防止することができる。
【００２４】
また、この画像形成装置は、感光層未塗布部や感光層液溜まり部を、小径部に設けることができる。その小径部は、大径部として形成されている画像形成領域よりも径が小さい。そのため、この画像形成装置は、段差部を感光層液溜まり部の標準的な厚さよりも高く形成することにより、感光層液溜まり部が被転写体又は中間転写体に当接するのを防止することができる。これによっても、この画像形成装置は、被転写体又は中間転写体上に転写された現像剤像を汚す印字不良が発生するのを防止することができる。
【００２５】
また、第２発明は、感光層を有する感光体を具備する画像形成ユニットであって、前記感光体は、現像剤像が形成される画像形成領域を備えており、かつ、軸方向において、隣接して配置される他の画像形成ユニットの感光体の画像形成領域と重なる重複領域を当該画像形成領域に有しており、さらに、前記感光体は、軸方向における前記重複領域側の端部に段差部を有しており、前記段差部は、大径部と当該大径部よりも径の小さい小径部とによって形成されている構成とする。
この画像形成ユニットは、第１発明に係る画像形成装置に用いることができる。
【発明の効果】
【００２６】
本発明によれば、感光体の画像形成領域の全領域を帯電可能とし、印字不良の発生を防止する画像形成装置、及び、当該画像形成装置に用いる画像形成ユニットを提供することができる。
【図面の簡単な説明】
【００２７】
【図１】実施形態１に係る画像形成装置の構成を示す図（１）である。
【図２】実施形態１に係る画像形成装置の構成を示す図（２）である。
【図３】実施形態１で用いる画像形成ユニットの構成を示す図である。
【図４】実施形態１で用いる画像形成ユニットの配置関係を示す図である。
【図５】実施形態１で用いる画像形成ユニットの主要部の構成を示す図である。
【図６】実施形態１で用いる感光ドラムの構成を示す図である。
【図７】実施形態１で用いる感光ドラムの説明図（１）である。
【図８】実施形態１で用いる感光ドラムの説明図（２）である。
【図９】実施形態１に係る画像形成装置の機能構成を示す図である。
【図１０】実施形態２で用いる画像形成ユニットの主要部の構成を示す図である。
【図１１】実施形態２で用いる感光ドラムの構成を示す図である。
【発明を実施するための形態】
【００２８】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２９】
［実施形態１］
＜画像形成装置の構成＞
本実施形態１に係る画像形成装置１は、電子写真プロセスを用いて画像を形成する装置である。ここでは、画像形成装置１がタンデム型の中間転写方式のカラープリンタとして構成されている場合を想定して説明する。
【００３０】
以下、図１及び図２を参照して、本実施形態１に係る画像形成装置１の構成につき説明する。図１及び図２は、それぞれ、実施形態１に係る画像形成装置１の構成を示す図である。図１は、斜め上方向から見た、上部カバー３が開放された状態の画像形成装置１の構成を示している。また、図２は、図１に示すＡ−Ａ線に沿って切断した画像形成装置１の断面の構成を示している。
【００３１】
図１に示すように、画像形成装置１は、筐体２と上部カバー３とを有しており、上部カバー３が筐体２に対して予め設けられた回転軸を中心にして開閉自在な構成になっている。画像形成装置１は、筐体２の内部に、複数（図示例では、８台）の画像形成ユニット１０を備えている。また、画像形成装置１は、上部カバー３の内面側に、複数（図示例では、８台）の露光ヘッド２０を備えている。
【００３２】
画像形成ユニット１０は、現像剤（以下、「トナー」と称する）を用いて、現像剤像（以下、「トナー像」と称する）を形成するユニットである。画像形成ユニット１０は、画像形成装置１の筐体２に対して、着脱（装着及び取り外し）が自在なユニットとして構成されている。
【００３３】
露光ヘッド２０は、外部装置から受信された印刷データに基づいて、画像形成ユニット１０に設けられた感光ドラム１１（図２参照）を部分的に露光する露光部である。ここでは、露光ヘッド２０がＬＥＤ（Ｌｉｇｈｔ  Ｅｍｉｔｔｉｎｇ  Ｄｉｏｄｅ）ヘッドとして構成されている場合を想定して説明する。ただし、画像形成装置１は、露光部として、露光ヘッド２０の代わりに、レーザ露光装置やその他の発光手段を用いる構成であってもよい。
【００３４】
画像形成ユニット１０は、形成するトナー像の色毎に、数台（図示例では、２台）で組を構成し、かつ、組毎に、主走査方向（図１に示す例では、上下方向）に位置をずらした状態で複数列（図示例では、２列）に分かれて配置されている。
【００３５】
本実施形態１では、画像形成ユニット１０は、２台で組を構成している。以下、各組を構成する２台の画像形成ユニット１０を区別する場合に、図１に示す手前側の画像形成ユニット１０を「画像形成ユニット１０Ａ」と称し、図１に示す奥側の画像形成ユニット１０を「画像形成ユニット１０Ｂ」と称する。画像形成ユニット１０Ａ及び画像形成ユニット１０Ｂは、左右（図１に示す例では、上下）が逆の構成になっている。
【００３６】
また、本実施形態１では、画像形成装置１は、形成するトナー像の色がイエロー（Ｙ）、マゼンタ（Ｍ）、シアン（Ｃ）、及び、ブラック（Ｋ）の４色であり、各色に対応して、４つの画像形成ユニット１０Ａ及び４つの画像形成ユニット１０Ｂが設けられている。以下、イエロー（Ｙ）、マゼンタ（Ｍ）、シアン（Ｃ）、及び、ブラック（Ｋ）の各色に対応する構成要素を区別する場合に、各構成要素に与えられた符号の末尾に、英文字「（Ｙ）」、「（Ｍ）」、「（Ｃ）」、「（Ｋ）」を付して説明する。
【００３７】
したがって、本実施形態１では、画像形成装置１は、Ｙ（イエロー）色のトナー像を形成する画像形成ユニット１０Ａ（Ｙ），１０Ｂ（Ｙ）と、Ｍ（マゼンタ）色のトナー像を形成する画像形成ユニット１０Ａ（Ｍ），１０Ｂ（Ｍ）と、Ｃ（シアン）色のトナー像を形成する画像形成ユニット１０Ａ（Ｃ），１０Ｂ（Ｃ）と、Ｋ（ブラック）色のトナー像を形成する画像形成ユニット１０Ａ（Ｋ），１０Ｂ（Ｋ）とを備える構成になっている。
【００３８】
４つの画像形成ユニット１０Ａ（すなわち、画像形成ユニット１０Ａ（Ｙ），１０Ａ（Ｍ），１０Ａ（Ｃ），１０Ａ（Ｋ））は、内部に収容されるトナーの色が異なる以外は、同じ構成となっている。同様に、４つの画像形成ユニット１０Ｂ（すなわち、画像形成ユニット１０Ｂ（Ｙ），１０Ｂ（Ｍ），１０Ｂ（Ｃ），１０Ｂ（Ｋ））も、内部に収容されるトナーの色が異なる以外は、同じ構成となっている。
【００３９】
露光ヘッド２０は、画像形成ユニット１０の上方に対向して配置される。したがって、露光ヘッド２０は、画像形成ユニット１０と同様に、形成するトナー像の色毎に、数台で組を構成し、かつ、組毎に、主走査方向に位置をずらした状態で複数列に分かれて配置されている。
【００４０】
本実施形態１では、露光ヘッド２０は、２台で組を構成している。以下、各組を構成する２台の露光ヘッド２０を区別する場合に、図１に示す画像形成ユニット１０Ａに対向する露光ヘッド２０を「露光ヘッド２０Ａ」と称し、図１に示す画像形成ユニット１０Ｂに対向する露光ヘッド２０を「露光ヘッド２０Ｂ」と称する。露光ヘッド２０Ａ及び露光ヘッド２０Ｂは、同じ構成になっている。
【００４１】
また、本実施形態１では、露光ヘッド２０Ａ及び露光ヘッド２０Ｂは、イエロー（Ｙ）、マゼンタ（Ｍ）、シアン（Ｃ）、及び、ブラック（Ｋ）の各色に対応して、設けられている。
【００４２】
したがって、本実施形態１では、画像形成装置１は、Ｙ（イエロー）色に対応する露光ヘッド２０Ａ（Ｙ），２０Ｂ（Ｙ）と、Ｍ（マゼンタ）色に対応する露光ヘッド２０Ａ（Ｍ），２０Ｂ（Ｍ）と、Ｃ（シアン）色に対応する露光ヘッド２０Ａ（Ｃ），２０Ｂ（Ｃ）と、Ｋ（ブラック）色に対応する露光ヘッド２０Ａ（Ｋ），２０Ｂ（Ｋ）とを備える構成になっている。
【００４３】
図２に示すように、画像形成装置１は、各画像形成ユニット１０の内部に、感光ドラム１１が設けられている。感光ドラム１１は、円筒状に形成された感光体である。感光ドラム１１は、感光層７２（図６参照）が円筒状の導電性支持体である素管７１（図６参照）の上に塗布された構成になっている。感光ドラム１１は、静電潜像及び現像剤像（トナー像）を表面に担持する像担持体として機能する。
【００４４】
画像形成装置１は、画像形成ユニット１０及び露光ヘッド２０に加え、内部に、中間転写ユニット３０を有している。
中間転写ユニット３０は、転写機構として機能するユニットである。
【００４５】
ここでは、中間転写ユニット３０は、中間転写体としての中間転写ベルト３１を備えており、中間転写ベルト３１が、画像形成ユニット１０の感光ドラム１１と被転写体としての媒体９との間に介在して、感光ドラム１１の表面に形成されたトナー像を感光ドラム１１から媒体９に転写するものとして説明する。
【００４６】
すなわち、ここでは、中間転写ユニット３０は、画像形成ユニット１０の感光ドラム１１の表面に形成されたトナー像を中間転写ベルト３１に一旦転写し、その後に、転写されたトナー像を中間転写ベルト３１から媒体９に再転写するものとして説明する。
【００４７】
中間転写ユニット３０は、中間転写ベルト３１を備え、その中間転写ベルト３１の内周面に当接するように、ドライブローラ３２、アイドルローラ３３、及び、複数（ここでは、８つ）のベルト転写ローラ３４を備えている。
【００４８】
ドライブローラ３２及びアイドルローラ３３は、中間転写ベルト３１を張架するローラである。ドライブローラ３２は、図示せぬ駆動源によって回転駆動されて、中間転写ベルト３１を走行させる。
【００４９】
中間転写ベルト３１は、画像形成ユニット１０の感光ドラム１１と被転写体としての媒体９との間に介在し、感光ドラム１１の表面上に形成されたトナー像が転写された後、当該トナー像を媒体９に再転写するベルト状の中間転写体である。中間転写ベルト３１は、その外周面が８つの画像形成ユニット１０の各感光ドラム１１と当接するように、８つの画像形成ユニット１０の直下に配置されている。
【００５０】
ベルト転写ローラ３４は、画像形成ユニット１０の感光ドラム１１の表面に形成されたトナー像を引き寄せて、トナー像を感光ドラム１１から中間転写体としての中間転写ベルト３１に転写する転写部材である。ベルト転写ローラ３４は、中間転写ベルト３１を介して、感光ドラム１１と対向するように配置されている。本実施形態１では、８つのベルト転写ローラ３４Ａ（Ｙ），３４Ｂ（Ｙ），３４Ａ（Ｍ），３４Ｂ（Ｍ），３４Ａ（Ｃ），３４Ｂ（Ｃ），３４Ａ（Ｋ），３４Ｂ（Ｋ）が、それぞれに対応する８つの感光ドラム１１Ａ（Ｙ），１１Ｂ（Ｙ），１１Ａ（Ｍ），１１Ｂ（Ｍ），１１Ａ（Ｃ），１１Ｂ（Ｃ），１１Ａ（Ｋ），１１Ｂ（Ｋ）と対向するように配置されている。
【００５１】
また、図２に示すように、画像形成装置１は、媒体トレイ４が筐体２の内部に設けられており、また、スタッカ５が上部カバー３の上面に設けられており、さらに、搬送路６が媒体トレイ４からスタッカ５まで設けられている。
媒体トレイ４は、用紙等の、被転写体として用いる印字媒体（以下、「媒体９」と称する）を収納する構成要素である。
スタッカ５は、トナー像が定着された媒体９が集積される部位である。
搬送路６は、媒体９が搬送される通路である。
【００５２】
画像形成装置１は、分離ローラ６１が媒体トレイ４の出口側に設けられている。分離ローラ６１は、媒体トレイ４の内部に収納されている媒体９を１枚ずつに分離して、媒体９を搬送路６に繰り出す。
【００５３】
また、画像形成装置１は、搬送ローラ６２、媒体転写ローラ６３、定着ユニット４０、及び、排出ローラ６４が、搬送路６の経路上に設けられている。
【００５４】
搬送ローラ６２は、分離ローラ６１によって搬送路６に繰り出された媒体９を下流側に搬送するローラである。図２に示す例では、画像形成装置１は、搬送ローラ６２として、分離ローラ６１の直上に設けられた一対の搬送ローラ６２ａと、搬送ローラ６２ａと媒体転写ローラ６３との間に設けられた一対の搬送ローラ６２ｂとを備える構成になっている。媒体９は、搬送ローラ６２によって中間転写ユニット３０の中間転写ベルト３１と媒体転写ローラ６３との間に送られる。
【００５５】
媒体転写ローラ６３は、中間転写ユニット３０の中間転写ベルト３１に転写されたトナー像を引き寄せて、トナー像を中間転写ベルト３１から被転写体としての媒体９に転写する転写部材である。
【００５６】
定着ユニット４０は、媒体転写ローラ６３によってトナー像が転写された媒体９を加熱及び加圧して、トナー像を溶融させて媒体９に定着させる定着機構として機能するユニットである。
【００５７】
排出ローラ６４は、定着ユニット４０によってトナー像が定着された媒体９を、スタッカ５まで搬送して、スタッカ５の上に排出する搬送部材である。画像形成装置１は、印字後の媒体９（トナー像が定着された媒体９）をスタッカ５の上に排出して保持する。
【００５８】
＜画像形成ユニットの構成＞
以下、図３を参照して、画像形成ユニット１０の構成につき説明する。図３は、実施形態１で用いる画像形成ユニット１０の構成を示す図である。図３は、図１に示すＡ−Ａ線に沿って切断した画像形成ユニット１０の断面の構成を示している。
【００５９】
図３に示すように、画像形成ユニット１０は、ユニットの上方部分に、着脱自在なトナー貯蔵容器５１を備えている。画像形成ユニット１０は、トナー貯蔵容器５１の内部にトナーＴＮを貯蔵している。
【００６０】
画像形成ユニット１０は、トナー貯蔵容器５１の内部に、撹拌部材５３を備えている。画像形成ユニット１０は、撹拌部材５３によってトナー貯蔵容器５１の内部に貯蔵されたトナーＴＮを撹拌する。
【００６１】
また、画像形成ユニット１０は、トナー貯蔵容器５１の下方に、トナーホッパー５２を備えている。画像形成ユニット１０は、トナーＴＮをトナー貯蔵容器５１からトナーホッパー５２に放出して、トナーＴＮをトナーホッパー５２の内部で貯蔵する。
【００６２】
画像形成ユニット１０は、トナーホッパー５２の内部に、撹拌部材５４を備えている。画像形成ユニット１０は、撹拌部材５４によってトナーホッパー５２の内部に貯蔵されたトナーＴＮを撹拌する。
【００６３】
また、画像形成ユニット１０は、内部に、感光ドラム１１を備え、さらに、感光ドラム１１の周囲に、感光ドラム１１に当接するように、帯電ローラ１２、現像ローラ１３、及び、クリーニングブレード１６を備えている。
【００６４】
感光ドラム１１は、その表面に、トナー像が形成される感光体である。感光ドラム１１は、表面に静電潜像及びトナー像を担持する像担持体として機能する。感光ドラム１１は、円筒状に形成されている。
【００６５】
帯電ローラ１２は、感光ドラム１１の表面を一様に帯電させる帯電部材である。感光ドラム１１の表面は、帯電ローラ１２によって一様に帯電されると、露光ヘッド２０によって部分的に露光される。その結果、静電潜像が、感光ドラム１１の表面に形成される。
【００６６】
現像ローラ１３は、表面にトナーＴＮを担持する現像剤担持体である。現像ローラ１３は、トナーＴＮを感光ドラム１１に供給して、トナーＴＮを静電潜像の上に付着させることによって、静電潜像をトナー像として現像（可視像化）する現像部材として機能する。感光ドラム１１は、現像ローラ１３からトナーＴＮが供給されることによって、その表面にトナー像が形成される。
【００６７】
クリーニングブレード１６は、中間転写ユニット３０（図２参照）によってトナー像が感光ドラム１１から中間転写ベルト３１（図２参照）に転写された後に、感光ドラム１１の表面に残留するトナーＴＮを除去する部材である。
【００６８】
また、画像形成装置１は、現像ローラ１３の周囲に、現像ローラ１３に当接するように、供給ローラ１４、及び、現像ブレード１５を備えている。
【００６９】
供給ローラ１４は、トナーホッパー５２に貯蔵されているトナーＴＮを現像ローラ１３に供給する供給部材である。トナーＴＮは、供給ローラ１４によって現像ローラ１３に供給されると、現像ローラ１３の表面に付着する。
【００７０】
現像ブレード１５は、現像ローラ１３の表面に付着したトナーＴＮの層厚を一定に規制する層厚規制部材である。トナーＴＮは、現像ローラ１３の表面に付着すると、現像ブレード１５によって一定の層厚に規制され、その後に、感光ドラム１１と当接することによって、現像ローラ１３から感光ドラム１１に移動する。その結果、露光ヘッド２０によって感光ドラム１１の表面に形成された静電潜像が、トナー像として現像される。
【００７１】
また、画像形成装置１は、クリーニングブレード１６の周囲に、廃トナー収容室５５、及び、廃トナー搬送部材５６を備えている。
【００７２】
廃トナー収容室５５は、廃棄するトナーＴＮ（以下、「廃トナー」と称する）を一時的に収容する収容部である。
廃トナー搬送部材５６は、廃トナーを所定の部位に搬送する搬送部材である。ここでは、所定の部位が、画像形成ユニット１０の外部に設けられている場合を想定して説明する。
【００７３】
＜画像形成ユニットの配置関係＞
以下、図４を参照して、画像形成ユニット１０の配置関係につき説明する。図４は、実施形態１で用いる画像形成ユニット１０の配置関係を示す図である。図４は、上方から見た、中間転写ユニット３０の中間転写ベルト３１に対する画像形成ユニット１０Ａ，１０Ｂの配置関係を示している。
【００７４】
なお、図４は、アイドルローラ３３に最も近い組の画像形成ユニット１０Ａ，１０Ｂ（すなわち、画像形成ユニット１０Ａ（Ｙ），１０Ｂ（Ｙ）（図１及び図２参照））の配置関係のみを示している。しかしながら、他の組の画像形成ユニット１０Ａ，１０Ｂの配置関係も、同様である。
【００７５】
各画像形成ユニット１０は、それぞれ、印字領域（以下、「画像形成領域」と称する場合もある）Ｐの幅が、画像形成装置１で用いる最大幅の媒体９の幅よりも短い構成になっている。なお、ここでは、「印字領域（画像形成領域）Ｐ」とは、画像形成ユニット１０のトナー像を形成する領域を意味している。ここでは、印字領域（画像形成領域）Ｐである各画像形成ユニット１０の長手方向の長さがＡ３サイズの縦幅又はＡ４サイズの縦幅と同じサイズになっており、画像形成装置１で用いる最大幅の媒体９のサイズがＡ２サイズ以上になっている場合を想定して説明する。
【００７６】
各画像形成ユニット１０は、数台（ここでは、２台）で組を構成し、かつ、組毎に、主走査方向に位置をずらした状態で複数列（ここでは、２列）に分かれて配置された構成になっている。
【００７７】
例えば、本実施形態１では、各画像形成ユニット１０は、形成するトナー像の色毎に、２台一組で、千鳥状（列毎に交互に一定間隔で上下方向に位置をずらした形状）に２列に配列されている。具体的には、Ｙ（イエロー）色のトナー像を画像形成（印字）する画像形成ユニット１０Ａ（Ｙ），１０Ｂ（Ｙ）は、２台一組で、千鳥状に２列に配列されている。同様に、Ｍ（マゼンタ）色のトナー像を画像形成（印字）する画像形成ユニット１０Ａ（Ｍ），１０Ｂ（Ｍ）も、２台一組で、千鳥状に２列に配列されている。また、Ｃ（シアン）色のトナー像を画像形成（印字）する画像形成ユニット１０Ａ（Ｃ），１０Ｂ（Ｃ）も、２台一組で、千鳥状に２列に配列されている。また、Ｋ（ブラック）色のトナー像を画像形成（印字）する画像形成ユニット１０Ａ（Ｋ），１０Ｂ（Ｋ）も、２台一組で、千鳥状に２列に配列されている。
【００７８】
画像形成装置１は、形成するトナー像の色毎に、各画像形成ユニット１０を数台（ここでは、２台）一組で千鳥状に複数列（ここでは、２列）に配列させ、各画像形成ユニット１０を共同させて画像を形成させることによって、画像形成ユニット１０単体の印字領域の幅よりも幅広な媒体９（例えば、Ａ２サイズ以上の媒体９）に対して画像形成（印字）することができる。
【００７９】
ただし、本実施形態１では、画像形成装置１は、１色につき２台の画像形成ユニット１０を用いる構成になっている。しかしながら、画像形成装置１は、１色につき３台以上の画像形成ユニット１０を用いる構成にしてもよく、また、３台で２列、３台で３列等のように列の数を任意の数に変更することができる。
【００８０】
なお、各露光ヘッド２０は、それぞれに対応する画像形成ユニット１０の感光ドラム１１に対向するように配置される。したがって、本実施形態１では、各露光ヘッド２０は、各画像形成ユニット１０と同様に、形成するトナー像の色毎に、２台一組で、千鳥状に２列に配列されている。
【００８１】
同色のトナー像を画像形成（印字）する各画像形成ユニット１０（ここでは、画像形成ユニット１０Ａ，１０Ｂ）は、個々の感光ドラム１１の印字領域の合計（ここでは、感光ドラム１１Ａの印字領域ＰＲと感光ドラム１１Ｂの印字領域ＰＬとの合計）が、画像形成装置１の全体の印字領域Ｐを共同して形成する。
【００８２】
すなわち、同色のトナー像を画像形成（印字）する画像形成ユニット１０Ａ，１０Ｂは、感光ドラム１１Ａの印字領域ＰＲの幅と感光ドラム１１Ｂの印字領域ＰＬの幅との合計が画像形成装置１の全体の印字領域Ｐの幅を満たせるように、千鳥状に配列されている。
【００８３】
そのため、感光ドラム１１Ａ，１１Ｂの印字領域Ｐは、感光ドラム１１Ａの印字領域ＰＲと感光ドラム１１Ｂの印字領域ＰＬとが重なる重複領域ＰＤと、感光ドラム１１Ａの印字領域ＰＲと感光ドラム１１Ｂの印字領域ＰＬとが重ならない非重複領域ＰＮ１，ＰＮ２とを含んでいる。
【００８４】
したがって、各画像形成ユニット１０の感光ドラム１１Ａ，１１Ｂは、印字領域ＰＲ，ＰＬの端部部分が、各組内の隣接する２つの画像形成ユニット１０Ａ，１０Ｂ同士で、副走査方向（図４に示す例では、上下方向）に重なる重複領域ＰＤとなっている。また、印字領域ＰＲは、重複領域ＰＤと非重複領域ＰＮ１とによって構成されており、さらに、印字領域ＰＬは、重複領域ＰＤと非重複領域ＰＮ２とによって構成されている。
【００８５】
なお、「重複領域ＰＤ」を設ける理由は、重複領域ＰＤを設けずに、感光ドラム１１Ａ，１１Ｂを配置した場合に、配置精度のバラツキにより、主走査方向に画像形成（印字）できない領域が発生してしまい、その画像形成（印字）できない領域の発生を防止するためである。
【００８６】
感光ドラム１１Ａは、中間転写ベルト３１の領域外となる端部に、駆動ギヤ８３Ａが設けられている。同様に、感光ドラム１１Ｂも、中間転写ベルト３１の領域外となる端部に、駆動ギヤ８３Ｂが設けられている。感光ドラム１１Ａ，１１Ｂは、図示せぬ駆動源によって回転駆動される。
【００８７】
＜画像形成ユニットの主要部の構成＞
以下、図５を参照して、画像形成ユニット１０の主要部の構成につき説明する。図５は、実施形態１で用いる画像形成ユニット１０の主要部の構成を示す図である。図５（ａ）は、図１に示す矢印Ｃの方向から見た、感光ドラム１１Ａの重複領域ＰＤの近傍の構成を示している。また、図５（ｂ）は、図１に示す矢印Ｃの方向から見た、感光ドラム１１Ｂの重複領域ＰＤの近傍の構成を示している。
【００８８】
図５（ａ）に示すように、画像形成ユニット１０Ａの感光ドラム１１Ａは、重複領域ＰＤを含む印字領域ＰＲが径の大きな大径部９１Ａとして形成されている。また、画像形成ユニット１０Ａの感光ドラム１１Ａは、大径部９１Ａよりも径の小さな小径部９２Ａが、大径部９１Ａの重複領域ＰＤ側に隣接して、大径部９１Ａよりも軸方向（主走査方向）の外側に設けられている。これにより、段差部９３Ａが、感光ドラム１１Ａの軸方向における重複領域ＰＤ側の端部に形成される。小径部９２Ａは、その端部に、感光ドラム１１Ａの軸芯となるシャフト８２Ａを支持するためのフランジ８１Ａが設けられている。さらに、画像形成ユニット１０Ａの感光ドラム１１Ａは、大径部９１Ａと小径部９２Ａとが段差部９３Ａによって区切られている。
【００８９】
同様に、図５（ｂ）に示すように、画像形成ユニット１０Ｂの感光ドラム１１Ｂは、重複領域ＰＤを含む印字領域ＰＬが径の大きな大径部９１Ｂとして形成されている。また、画像形成ユニット１０Ｂの感光ドラム１１Ｂは、大径部９１Ｂよりも径の小さな小径部９２Ｂが、大径部９１Ｂの重複領域ＰＤ側に隣接して、大径部９１Ｂよりも軸方向（主走査方向）の外側に設けられている。これにより、段差部９３Ｂが、感光ドラム１１Ｂの軸方向における重複領域ＰＤ側の端部に形成される。小径部９２Ｂは、その端部に、感光ドラム１１Ｂの軸芯となるシャフト８２Ｂを支持するためのフランジ８１Ｂが設けられている。さらに、画像形成ユニット１０Ｂの感光ドラム１１Ｂは、大径部９１Ｂと小径部９２Ｂとが段差部９３Ｂによって区切られている。
【００９０】
以下、大径部９１Ａと大径部９１Ｂとを総称する場合に、「大径部９１」と称する。また、以下、小径部９２Ａと小径部９２Ｂとを総称する場合に、「小径部９２」と称する。また、以下、段差部９３Ａと段差部９３Ｂとを総称する場合に、「段差部９３」と称する。段差部９３は、大径部９１と小径部９２とによって形成される。
【００９１】
本実施形態１では、大径部９１の外径の大きさを「φＥ」とし、小径部９２の外径の大きさを「φＦ」とし、大径部９１の外径φＥと小径部９２の外径φＦとが「φＦ＜φＥ」の関係を満たしているものとして説明する。
【００９２】
図５（ａ）に示すように、画像形成ユニット１０Ａの帯電ローラ１２Ａは、感光ドラム１１Ａに対し、段差部９３Ａを跨（また）ぐように（乗り越えるように）、感光ドラム１１Ａの大径部９１Ａと小径部９２Ａとに対向して配置されている。大径部９１Ａの外径φＥ及び小径部９２Ａの外径φＦは、「φＦ＜φＥ」の関係を満たしている。したがって、帯電ローラ１２Ａは、感光ドラム１１Ａに対し、大径部９１Ａで当接するとともに、小径部９２Ａで空隙ΔＴ１分だけ感光ドラム１１Ａから離間した状態になっている。
【００９３】
また、図５（ｂ）に示すように、画像形成ユニット１０Ｂの帯電ローラ１２Ｂは、感光ドラム１１Ｂに対し、段差部９３Ｂを跨（また）ぐように（乗り越えるように）、感光ドラム１１Ｂの大径部９１Ｂと小径部９２Ｂとに対向して配置されている。大径部９１Ｂの外径φＥ及び小径部９２Ｂの外径φＦは、「φＦ＜φＥ」の関係を満たしている。したがって、帯電ローラ１２Ｂは、感光ドラム１１Ｂに対し、大径部９１Ｂで当接するとともに、小径部９２Ｂで空隙ΔＴ１分だけ感光ドラム１１Ｂから離間した状態になっている。
【００９４】
また、図５（ａ）及び図５（ｂ）に示すように、中間転写ベルト３１は、全ての画像形成ユニット１０（画像形成ユニット１０Ａ（Ｙ），１０Ｂ（Ｙ），１０Ａ（Ｍ），１０Ｂ（Ｍ），１０Ａ（Ｃ），１０Ｂ（Ｃ），１０Ａ（Ｋ），１０Ｂ（Ｋ）（図１及び図２参照））の各感光ドラム１１に対し、段差部９３を跨いで（乗り越えて）、感光ドラム１１の大径部９１及び小径部９２に対向して配置されている。その結果、中間転写ベルト３１は、全ての画像形成ユニット１０の各感光ドラム１１に対し、大径部９１で感光ドラム１１に当接するとともに、小径部９２で空隙ΔＴ２分だけ感光ドラム１１から離間した状態になっている。
【００９５】
本実施形態１では、例えば、大径部９１の外径φＥが「４０ｍｍ」となっており、小径部９２の外径φＦが「３９ｍｍ」となっており、段差部９３の高さＨ（図示せず）が「０．５ｍｍ」となっており、小径部９２と帯電ローラ１２との間の空隙△Ｔ１が「０．４ｍｍ」となっており、小径部９２と中間転写ベルト３１との間の空隙△Ｔ２が「０．３ｍｍ」となっており、重複領域ＰＤの幅ＰＤＷ（図示せず）が「５〜２０ｍｍ」となっている場合を想定して説明する。
【００９６】
＜感光ドラムの構成＞
以下、図６を参照して、感光ドラム１１の構成につき説明する。図６は、実施形態１で用いる感光ドラム１１の構成を示す図である。なお、図６は、感光ドラム１１としての感光ドラム１１Ａの、段差部９３の周囲の構成を拡大して示している。
【００９７】
図６に示すように、感光ドラム１１は、例えば、アルミニウム合金によって構成された導電性支持体としての素管７１の周面上に、下層側から、図示せぬブロッキング層、図示せぬ電荷発生層、及び、図示せぬ電荷輸送層が順次形成された構成になっている。以下、ブロッキング層から電荷輸送層までを総称して「感光層７２」と称する。
【００９８】
ブロッキング層は、例えば、アルミニウム合金の表面に陽極酸化（アルマイト）処理を施した後、酢酸ニッケルを主成分とする封孔処理（アルマイト処理で生じる微細孔の封孔処理）を行った層である。
電荷発生層は、例えば、オキソチタニウムフタロシアニン１０部（質量部）を１，２−ジメトキシエタン１５０部に加え、サンドグラインドミルにて粉砕分散処理して作製した顔料分散液１６０部に、ポリビニルブチラール５部を１，２−ジメトキシエタン９５部に溶解した固形分濃度５％のバインダー溶液１００部を混合し、最終的に固形分濃度４％で、１，２−ジメトキシエタンと４−メトキシ−４−メチルペンタノン−２の質量比が９：１となるように調整・調合した液体を塗布した層である。
電荷輸送層は、例えば、透明なポリカーボネート樹脂液を塗布した層である。
【００９９】
図６に示すように、感光ドラム１１は、素管７１の周面上に、感光層７２が塗布された構成になっている。
なお、感光ドラム１１は、素管７１を、感光層７２を構成する液体（以下、「感光液」と称する）で満たされた液槽に浸漬して、感光液を素管７１の周面上に塗布することによって、感光層７２が形成される。感光層７２は、段差部９３を含む感光ドラム１１の大径部９１及び小径部９２の全域に形成されている。
【０１００】
このとき、少量の感光液が溜まっている領域（以下、「感光層液溜まり部７９」と称する）が、素管７１の段差部９３の下端となる部分（以下、「コーナー部７１ｂ」と称する）の周囲に、発生する。
【０１０１】
しかしながら、素管７１は、加工時のバリ等を除去するための、０．１ｍｍ程度の面取りが、段差部９３の上端となる部分（以下、「エッジ部７１ａ」と称する）に形成されている。これにより、感光層７２は、素管７１のエッジ部７１ａの上の部分（以下、「エッジ部７２ａ」と称する）が、素管７１のエッジ部７１ａと同様の面取りが形成された形状となる。そのため、感光層７２は、感光層液溜まり部７９がコーナー部７１ｂの周囲に発生しても、エッジ部７２ａで突起状に突出することがない。
【０１０２】
ここで、図７及び図８を参照して、本実施形態１で用いる感光ドラム１１の特徴につき説明する。図７及び図８は、それぞれ、実施形態１で用いる感光ドラム１１の説明図である。
【０１０３】
感光ドラム１１は、製造工程に応じて、感光液が塗布されていない領域（以下、「感光層未塗布部７８」と称する）や感光層液溜まり部７９が、その周面上に形成される。
【０１０４】
感光層未塗布部７８及び感光層液溜まり部７９は、以下のようにして形成される。
感光ドラム１１は、前記した通り、素管７１を、感光液で満たされた液槽に浸漬して、感光液を素管７１の周面上に塗布することによって、感光層７２が形成される。このとき、感光ドラム１１は、その端部に、感光ドラム１１を締め付けて固定するための図示せぬチャック部材が取り付けられる。そのため、感光ドラム１１は、感光層未塗布部７８が、そのチャック部材が取り付けられていた端部に形成される。
【０１０５】
また、感光ドラム１１は、液糟から取り出されるときに、感光層液溜まり部７９が、その鉛直下方の端部に形成される。この感光層液溜まり部７９では、感光層７２の厚さが、所定の厚さにならない。そのため、感光層液溜まり部７９は、帯電不良な領域となる。
【０１０６】
図７は、感光層未塗布部７８が小径部９２の周面上に形成され、感光層液溜まり部７９が大径部９１の周面上に形成された例を示している。感光ドラム１１は、図示せぬチャック部材が小径部９２の端部に取り付けられていた場合に、図７に示す構成になる。
【０１０７】
また、図８は、感光層液溜まり部７９が小径部９２の周面上に形成され、感光層未塗布部７８が大径部９１の周面上に形成された例を示している。感光ドラム１１は、図示せぬチャック部材が大径部９１の端部に取り付けられていた場合に、図８に示す構成になる。
【０１０８】
感光層液溜まり部７９は、感光層７２の厚さが一般的に１０〜３０μｍ程度であるのに対して、その厚さが５０μｍ程度である。このような感光層液溜まり部７９は、その厚さが、感光ドラム１１の段差部９３の高さＨ（図示せず）（例えば、０．５ｍｍ）や、感光ドラム１１の大径部９１と帯電ローラ１２との間の空隙△Ｔ１（図５参照）（例えば、０．４ｍｍ）、感光ドラム１１の大径部９１と中間転写ベルト３１との間の空隙ΔＴ２（図５参照）（例えば、０．３ｍｍ）よりも著しく薄い。そのため、感光層液溜まり部７９は、帯電ローラ１２Ａ及び中間転写ベルト３１に当接しない。
【０１０９】
＜画像形成装置の機能構成＞
以下、図９を参照して、画像形成装置１の機能構成につき説明する。図９は、実施形態１に係る画像形成装置１の機能構成を示す図である。
【０１１０】
図９に示すように、画像形成装置１は、外部Ｉ／Ｆ部１００１、データ解析部１００２、イメージデータ作成部１００３、イメージデータ分割部１００４、現像制御部１００５、第１現像部１００６Ａ、及び、第２現像部１００６Ｂを有する構成となっている。
【０１１１】
外部Ｉ／Ｆ部１００１は、データの送受信を行う構成要素である。
データ解析部１００２は、受信された印刷データから用紙サイズ情報や色情報等を解析する構成要素である。
イメージデータ作成部１００３は、受信された印刷データに基づいて、イメージデータを作成する構成要素である。
イメージデータ分割部１００４は、イメージデータ作成部１００３によって作成されたイメージデータを、第１現像部１００６Ａ及び第２現像部１００６Ｂで出力されるデータに分割する構成要素である。
【０１１２】
現像制御部１００５は、第１現像部１００６Ａ及び第２現像部１００６Ｂへのイメージデータの転送タイミングの制御と第１現像部１００６Ａ及び第２現像部１００６Ｂの駆動の制御とを行う構成要素である。
第１現像部１００６Ａ及び第２現像部１００６Ｂは、それぞれ、イメージデータに基づいて画像を形成する構成要素である。第１現像部１００６Ａは、画像形成ユニット１０Ａ及び露光ヘッド２０Ａによって構成されている。同様に、第２現像部１００６Ｂは、画像形成ユニット１０Ｂ及び露光ヘッド２０Ｂによって構成されている。
【０１１３】
＜画像形成装置の動作＞
以下、図２を参照して、画像形成装置１の動作につき説明する。
画像形成装置１は、外部Ｉ／Ｆ部１００１（図９参照）によって、ホストコンピュータやファクシミリ等の図示せぬ外部装置から印刷データを受信する。外部Ｉ／Ｆ部１００１は、受信された印刷データをデータ解析部１００２（図９参照）に出力する。
【０１１４】
データ解析部１００２は、受信された印刷データに基づいて、外部装置によって指定された指定情報（例えば、用紙サイズ情報や色情報等）を解析して、指定情報の解析結果をイメージデータ作成部１００３（図９参照）に出力する。
【０１１５】
イメージデータ作成部１００３は、データ解析部１００２から指定情報の解析結果が入力されると、受信された印刷データ及び指定情報の解析結果に基づいて、イメージデータを作成して、イメージデータ分割部１００４（図９参照）に出力する。
【０１１６】
このとき、イメージデータ作成部１００３は、印刷データがカラー画像用のデータである場合に、色情報に基づいて、色毎に、イメージデータを作成し、用紙サイズ情報に基づいて、イメージデータの作成サイズを決定する。
【０１１７】
イメージデータ分割部１００４は、イメージデータ作成部１００３からイメージデータが入力されると、イメージデータを印字領域ＰＲ（図４及び図５参照）に該当する部分と印字領域ＰＬ（図４及び図５参照）に該当する部分とに分割する。
【０１１８】
このとき、イメージデータ分割部１００４は、印刷データがカラー画像用のデータである場合に、色毎に作成されたイメージデータのそれぞれを分割する。以下、分割されたイメージデータを「分割イメージデータ」と称する。
【０１１９】
イメージデータ分割部１００４は、１頁分の分割イメージデータを作成すると、１頁分の分割イメージデータを現像制御部１００５（図９参照）に出力する。
【０１２０】
現像制御部１００５は、イメージデータ分割部１００４から１頁分の分割イメージデータが入力されると、第１現像部１００６Ａ（図９参照）の画像形成ユニット１０Ａと第２現像部１００６Ｂ（図９参照）の画像形成ユニット１０Ｂの駆動を開始するとともに、搬送ローラ６２ａ，６２ｂによって搬送される媒体９の搬送位置を監視する。
【０１２１】
その結果、画像形成装置１は、分離ローラ６１が媒体トレイ４に収納された媒体９を１枚ずつに分離して搬送路６に繰り出し、搬送ローラ６２ａ，６２ｂが媒体９を媒体転写ローラ６３に向けて搬送する。
【０１２２】
このとき、各画像形成ユニット１０は、現像制御部１００５（図９参照）から制御信号が送られ、撹拌部材５３，５４が回転を開始する。これにより、各画像形成ユニット１０は、トナー貯蔵容器５１（図３参照）及びトナーホッパー５２（図３参照）に貯蔵されたトナーＴＮを撹拌する。
【０１２３】
同時に、各画像形成ユニット１０は、図示せぬ駆動源が供給ローラ１４を矢印Ａ１４の方向（図３参照）に回転させる。これにより、各画像形成ユニット１０は、トナーホッパー５２（図３参照）に貯蔵されたトナーＴＮを現像ローラ１３に供給する。
【０１２４】
また、同時に、各画像形成ユニット１０は、図示せぬ駆動源が現像ローラ１３を矢印Ａ１３の方向（図３参照）に回転させる。このとき、供給ローラ１４が、トナーＴＮを現像ローラ１３に供給する。その結果、トナーＴＮが、現像ローラ１３の表面に付着する。
【０１２５】
現像ローラ１３の表面に付着したトナーＴＮは、現像ローラ１３の回転に伴って、現像ブレード１５に当接する。その結果、現像ローラ１３の表面に付着したトナーＴＮは、現像ブレード１５によって、層厚が一定の薄層に形成されるとともに、帯電される。
【０１２６】
また、各画像形成ユニット１０は、図示せぬ駆動源が感光ドラム１１を矢印Ａ１１の方向（図３参照）に回転させる。このとき、帯電ローラ１２が、感光ドラム１１の表面を一様に帯電させる。その際に、帯電ローラ１２は、図５に示すように、感光ドラム１１に対し、空隙△Ｔ１が小径部９２との間に存在するため、外径φＥの大径部９１だけと当接し、外径φＦの小径部９２に当接しない。そのため、帯電ローラ１２は、感光ドラム１１の大径部９１だけを帯電させて、感光ドラム１１の小径部９２を帯電させない。
【０１２７】
そして、画像形成装置１の現像制御部１００５（図９参照）は、媒体９の搬送位置が所定の位置に到達したことを検出すると、分割イメージデータを第１現像部１００６Ａと第２現像部１００６Ｂとに出力する。
【０１２８】
その結果、画像形成装置１は、露光ヘッド２０が、搬送ローラ６２ａ，６２ｂによる媒体９の搬送タイミングに合わせて、印刷データに基づいて、感光ドラム１１の表面を部分的に露光する。これにより、静電潜像が、感光ドラム１１の表面に形成される。
【０１２９】
このとき、露光ヘッド２０Ａは、感光ドラム１１の表面の印字領域ＰＲ（図４及び図５参照）に該当する部分を部分的に露光する。また、露光ヘッド２０Ｂは、感光ドラム１１の表面の印字領域ＰＬ（図４及び図５参照）に該当する部分を部分的に露光する。これにより、画像形成装置１の全体の印字領域Ｐ分の静電潜像が、形成される。
【０１３０】
各画像形成ユニット１０は、現像ローラ１３の表面に付着したトナーＴＮが、感光ドラム１１と当接することにより、現像ローラ１３から感光ドラム１１に移動する。その結果、各画像形成ユニット１０は、感光ドラム１１の表面に形成された静電潜像をトナー像として現像する。
【０１３１】
画像形成装置１は、搬送ローラ６２ａ，６２ｂによる媒体９の搬送タイミングに合わせて、図示せぬ駆動源が中間転写ユニット３０の中間転写ベルト３１を矢印Ａ３１の方向（図４参照）に走行させる。このとき、中間転写ユニット３０は、ベルト転写ローラ３４が、感光ドラム１１の表面に形成されたトナー像を引き寄せて、トナー像を感光ドラム１１から中間転写ベルト３１に転写させる。その際に、中間転写ベルト３１は、図５に示すように、感光ドラム１１に対し、空隙△Ｔ１が小径部９２との間に存在するため、外径φＥの大径部９１だけと当接し、外径φＦの小径部９２に当接しない。そのため、ベルト転写ローラ３４は、感光ドラム１１の大径部９１の表面上にだけ存在するトナーを、中間転写ベルト３１に転写する。
【０１３２】
この後、画像形成装置１は、媒体転写ローラ６３が、中間転写ベルト３１に転写されたトナー像を引き寄せて、トナー像を中間転写ベルト３１から媒体９に転写させる。そして、画像形成装置１は、媒体転写ローラ６３及び搬送ローラ６２ａ，６２ｂが、媒体９を定着ユニット４０に向けて搬送する。
【０１３３】
この後、画像形成装置１は、定着ユニット４０が、媒体９を加熱及び加圧して、媒体９に転写されたトナー像を溶融させて、トナー像を媒体９に定着させる。そして、画像形成装置１は、排出ローラ６４ａ，６４ｂが、媒体９をスタッカ５に向けて搬送して、媒体９をスタッカ５の上に排出する。
【０１３４】
なお、各画像形成ユニット１０は、トナー像が感光ドラム１１から中間転写ベルト３１に転写されると、クリーニングブレード１６が、感光ドラム１１の表面に残留している廃トナーを掻き落とす。これにより、廃トナーが、廃トナー収容室５５に収容される。各画像形成ユニット１０は、任意のタイミングで、廃トナー搬送部材５６が、廃トナー収容室５５に収容された廃トナーを所定の部位に排出する。
【０１３５】
なお、画像形成装置１は、イメージデータの作成及び分割を色毎に行う。そのため、画像形成装置１は、印刷データがカラー画像用のデータである場合に、全ての画像形成ユニット１０Ａ（Ｙ），１０Ｂ（Ｙ），１０Ａ（Ｍ），１０Ｂ（Ｍ），１０Ａ（Ｃ），１０Ｂ（Ｃ），１０Ａ（Ｋ），１０Ｂ（Ｋ）において、同様の動作を行う。
【０１３６】
係る構成において、本実施形態１に係る画像形成装置１は、色毎に、複数の画像形成ユニット１０を主走査方向に位置をずらした状態で複数列に分けて配置させることによって、画像形成ユニット１０単体の印字領域の幅よりも幅広な画像を形成する構成になっている。
【０１３７】
各画像形成ユニット１０の感光ドラム１１は、印字領域ＰＲ，ＰＬの端部部分が、各組内の隣接する２つの画像形成ユニット１０Ａ，１０Ｂ同士で、副走査方向に重なる重複領域ＰＤとなっている。そして、各感光ドラム１１は、重複領域ＰＤを含む印字領域ＰＲ，ＰＬが径の大きな大径部９１として形成されているとともに、大径部９１よりも径の小さな小径部９２が大径部９１よりも軸方向（主走査方向）の外側に設けられており、大径部９１と小径部９２とが段差部９３によって区切られている。
【０１３８】
画像形成装置１は、印刷領域ＰＲ，ＰＬが段差部９３によって小径部９２から区切られた大径部９１として形成されている。そのため、画像形成装置１は、帯電ローラ１２Ａ，１２Ｂを印刷領域ＰＲ，ＰＬの全領域に良好に当接させることができる。その結果、画像形成装置１は、帯電ローラ１２Ａ，１２Ｂが、それぞれに対応する、感光ドラム１１Ａ，１Ｂの中間転写ベルト３１と当接する印字領域ＰＲ，ＰＬの全領域を過不足なく帯電させることができる。
【０１３９】
そのため、画像形成装置１は、帯電不良が感光体（感光ドラム１１）の画像形成領域（印刷領域ＰＲ，ＰＬ）の端部部分で発生するのを防止して、被転写体（媒体９）又は中間転写体（中間転写ベルト３１）の上に転写された現像剤像（トナー像）を汚す印字不良が発生するのを防止することができる。
【０１４０】
また、画像形成装置１は、感光層未塗布部７８や感光層液溜まり部７９を、画像形成領域（印刷領域ＰＲ，ＰＬ）よりも外側の小径部９２に設けることができる。その小径部９２は、大径部９１として形成されている画像形成領域（印刷領域ＰＲ，ＰＬ）よりも径が小さい。そのため、画像形成装置１は、段差部９３を感光層液溜まり部７９の標準的な厚さよりも高く形成することにより、感光層液溜まり部７９が被転写体（媒体９）又は中間転写体（中間転写ベルト３１）に当接するのを防止することができる。これによっても、画像形成装置１は、印字不良が発生するのを防止することができる。
【０１４１】
また、画像形成装置１は、ベルト転写ローラ３４Ａ，３４Ｂが、中間転写ベルト３１の波打ちや繞みを防止する。そのため、画像形成装置１は、中間転写ベルト３１が感光ドラム１１Ａ，１Ｂの小径部９２Ａ，９２Ｂに当接するのを防止することができる。これによっても、画像形成装置１は、印字不良が発生するのを防止することができる。
【０１４２】
以上の通り、本実施形態１に係る画像形成装置１によれば、感光体（感光ドラム１１Ａ，１１Ｂ）の画像形成領域（印字領域ＰＲ，ＰＬ）の全領域を帯電可能とし、印字不良の発生を防止する画像形成装置１を提供することができる。
【０１４３】
［実施形態２］
実施形態１に係る画像形成装置１は、感光ドラム１１の段差部９３が垂直方向に切り立った構成になっている。そのため、実施形態１に係る画像形成装置１は、帯電ローラ１２が感光ドラム１１と当接する際に、段差部９３の周囲で、負荷が局所的に上昇する可能性がある。これにより、実施形態１に係る画像形成装置１は、帯電ローラ１２が摩耗し易くなる可能性がある。また、実施形態１に係る画像形成装置１は、感光ドラム１１の感光層７２（図６参照）が剥がれる可能性がある。
【０１４４】
そこで、本実施形態２では、段差部の周囲で、負荷が局所的に上昇するのを抑制して、帯電ローラ１２が摩耗するのを抑制するとともに、本実施形態２に係る感光ドラム（以下、「感光ドラム２１１」と称する）の感光層（以下、「感光層２７２」と称する）が剥がれるのを防止する画像形成装置２０１を提供する。
【０１４５】
以下、図１０及び図１１を参照して、本実施形態２に係る画像形成装置２０１の構成につき説明する。図１０は、実施形態２で用いる画像形成ユニット２１０の主要部の構成を示す図である。また、図１１は、実施形態２で用いる感光ドラム２１１の構成を示す図である。
【０１４６】
本実施形態２に係る画像形成装置２０１は、実施形態１に係る画像形成装置１と比較すると、画像形成ユニット１０の代わりに、画像形成ユニット２１０を用いる点で相違している。本実施形態２では、画像形成ユニット２１０が、図１に示す手前側の画像形成ユニット１０Ａに代わる画像形成ユニット２１０Ａ（図１０（ａ）参照）と、図１に示す奥側の画像形成ユニット１０Ｂに代わる画像形成ユニット２１０Ｂ（図１０（ｂ）参照）とに大別されるものとして説明する。
【０１４７】
そして、図１０（ａ）に示すように、画像形成ユニット２１０Ａは、画像形成ユニット１０Ａ（図５（ａ）参照）と比較すると、感光ドラム１１の代わりに、感光ドラム２１１Ａを備える点で相違している。また、図１０（ｂ）に示すように、画像形成ユニット２１０Ｂは、画像形成ユニット１０Ｂ（図５（ｂ）参照）と比較すると、感光ドラム１１の代わりに、感光ドラム２１１Ｂを備える点で相違している。
【０１４８】
図１０（ａ）に示すように、感光ドラム２１１Ａは、大径部９１Ａと小径部９２Ａとの間の段差部が、テーパ角度θで、大径部９１Ａから小径部９２Ａに向かって径を小さくさせる方向に傾斜する傾斜部（以下、「テーパ部２９４Ａ」と称する）として、形成されている。同様に、図１０（ｂ）に示すように、感光ドラム２１１Ｂは、大径部９１Ｂと小径部９２Ｂとの間の段差部が、テーパ角度θで、大径部９１Ｂから小径部９２Ｂに向かって径を小さくさせる方向に傾斜する傾斜部（以下、「テーパ部２９４Ｂ」と称する）として、形成されている。
【０１４９】
以下、感光ドラム２１１Ａと感光ドラム２１１Ｂとを総称する場合に、「感光ドラム２１１」と称する。また、テーパ部２９４Ａとテーパ部２９４Ｂとを総称する場合に、「テーパ部２９４」と称する。
【０１５０】
図１０（ａ）に示すように、画像形成ユニット２１０Ａの帯電ローラ１２Ａは、感光ドラム２１１Ａに対し、テーパ部２９４Ａを跨ぐように（乗り越えるように）、感光ドラム２１１Ａの大径部９１Ａと小径部９２Ａとに対向して配置されている。大径部９１Ａの外径φＥ及び小径部９２Ａの外径φＦは、「φＦ＜φＥ」の関係を満たしている。したがって、帯電ローラ１２Ａは、感光ドラム２１１Ａに対し、大径部９１Ａで感光ドラム２１１Ａに当接し、小径部９２Ａで空隙ΔＴ１分だけ感光ドラム２１１Ａから離間した状態になっている。
【０１５１】
同様に、図１０（ｂ）に示すように、画像形成ユニット２１０Ｂの帯電ローラ１２Ｂは、感光ドラム２１１Ｂに対し、テーパ部２９４Ｂを跨ぐように（乗り越えるように）、感光ドラム２１１Ｂの大径部９１Ｂと小径部９２Ｂとに対向して配置されている。大径部９１Ｂの外径φＥ及び小径部９２Ｂの外径φＦは、「φＦ＜φＥ」の関係を満たしている。したがって、帯電ローラ１２Ｂは、感光ドラム２１１Ｂに対し、大径部９１Ｂで感光ドラム２１１Ｂに当接し、小径部９２Ｂで空隙ΔＴ１分だけ感光ドラム２１１Ｂから離間した状態になっている。
【０１５２】
本実施形態２では、例えば、大径部９１の外径φＥが「４０ｍｍ」となっており、小径部９２の外径φＦが「３９ｍｍ」となっており、テーパ部２９４の高さＨ（図示せず）が「０．５ｍｍ」となっており、小径部９２と帯電ローラ１２との間の空隙△Ｔ１が「０．４ｍｍ」となっており、小径部９２と中間転写ベルト３１との間の空隙△Ｔ２が「０．３ｍｍ」となっており、テーパ角度θを「３０〜６０°」となっており、重複領域ＰＤの幅ＰＤＷ（図示せず）が「５〜２０ｍｍ」となっている場合を想定して説明する。
【０１５３】
図１１に示すように、感光ドラム２１１は、例えば、アルミニウム合金によって構成された導電性支持体としての素管２７１の周面上に、下層側から、図示せぬブロッキング層、図示せぬ電荷発生層、及び、図示せぬ電荷輸送層が順次形成された構成になっている。以下、ブロッキング層から電荷輸送層までを総称して「感光層２７２」と称する。
【０１５４】
感光ドラム２１１の素管２７１は、段差部（テーパ部２９４）となる部分が、テーパ部２７１Ｔとして形成されている。感光ドラム２１１は、その素管２７１の周面上に、感光層２７２が塗布された構成になっている。
【０１５５】
感光層２７２は、素管２７１の段差部がテーパ部２７１Ｔとして形成されている。そのため、感光層２７２は、テーパ部２７１Ｔと同様の形状のテーパ部２７２Ｔが、段差部に形成された構成になっている。
【０１５６】
感光ドラム２１１は、感光層２７２の段差部がテーパ部２７２Ｔとして形成される。そのため、感光ドラム２１１は、感光層液溜まり部７９が段差部に発生するのを抑制することができる。その結果、感光ドラム２１１は、感光層２７２が均一に塗布された構成になり、感光層２７２の一部が突起状に突出することがない。
【０１５７】
このような感光ドラム２１１を用いる画像形成装置２０１は、図１０及び図１１に示すように、感光ドラム２１１がテーパ部２９４で帯電ローラ１２と当接する。そのため、画像形成装置２０１は、段差部であるテーパ部２９４の周囲で、負荷が局所的に上昇するのを抑制することができる。その結果、画像形成装置２０１は、帯電ローラ１２が磨耗するのを抑制することができるとともに、感光ドラム２１１の感光層２７２が剥がれるのを防止することができる。
【０１５８】
以上の通り、本実施形態２に係る画像形成装置２０１によれば、実施形態１に係る画像形成装置１と同様に、感光体（感光ドラム１１Ａ，１１Ｂ）の画像形成領域（印字領域ＰＲ，ＰＬ）の全領域を帯電可能とし、印字不良の発生を防止する画像形成装置１を提供することができる。
【０１５９】
しかも、画像形成装置２０１によれば、段差部がテーパ部２９４として構成されているため、段差部あるテーパ部２９４の周囲で、負荷が局所的に上昇するのを抑制することができる。その結果、画像形成装置２０１によれば、帯電ローラ１２が磨耗するのを抑制することができるとともに、感光ドラム２１１の感光層２７２が剥がれるのを防止することができる。
【０１６０】
本発明は、前記した実施形態に限定されることなく、本発明の要旨を逸脱しない範囲で種々の変更や変形を行うことができる。
例えば、本発明は、ＬＥＤプリンタに限らず、レーザービームプリンタに適用することができる。
また、例えば、本発明は、プリンタに限らず、ファクシミリ装置、複写機、ＭＦＰ等の画像形成装置に用いることができる。なお、「ＭＦＰ」とは、ファクシミリ機能やスキャナ機能、コピー機能等がプリンタに付加された、Ｍｕｌｔｉ  Ｆｕｎｃｔｉｏｎ  Ｐｒｉｎｔｅｒを意味している。
【０１６１】
＜付記＞
第１発明に係る画像形成装置は、以下の特徴を有している。
第１発明は、電子写真プロセスを用いて画像を形成する画像形成裝置であって、感光層が導電性支持体上に形成されている感光体と、前記感光体の表面を帯電させる帯電部材と、現像剤を前記感光体に供給して、前記感光体の表面に現像剤像を形成する現像部材とを具備する画像形成ユニットを複数有し、複数の前記画像形成ユニットは、形成する前記現像剤像の色毎に、数台で組を構成し、かつ、組毎に、主走査方向に位置をずらした状態で複数列に分かれて配置されており、それぞれの前記画像形成ユニットの前記感光体は、前記現像剤像が形成される画像形成領域の端部部分が、各組内の隣接する２つの前記画像形成ユニット同士で、副走査方向に重なる重複領域となっており、前記重複領域を含む前記画像形成領域が径の大きな大径部として形成されているとともに、当該大径部よりも径の小さな小径部が当該大径部よりも軸方向の外側に設けられており、さらに、前記大径部と前記小径部とが段差部によって区切られている構成とする。
【０１６２】
この画像形成装置は、画像形成ユニットを複数有している。複数の画像形成ユニットは、形成する現像剤像の色毎に、数台で組を構成し、かつ、組毎に、主走査方向に位置をずらした状態で複数列に分かれて配置されている。
【０１６３】
各画像形成ユニットの感光体は、画像形成領域の端部部分が、各組内の隣接する２つの画像形成ユニット同士で、副走査方向に重なる重複領域となっている。そして、各感光体は、重複領域を含む画像形成領域が径の大きな大径部として形成されているとともに、大径部よりも径の小さな小径部が大径部よりも軸方向の外側に設けられており、大径部と小径部とが段差部によって区切られている。
【０１６４】
したがって、この画像形成装置は、各画像形成ユニットの感光体が段差部によって大径部と小径部とに区切られている。そして、この画像形成装置は、画像形成領域が段差部によって小径部から区切られた大径部として形成されている。そのため、この画像形成装置は、帯電部材を画像形成領域の全領域に良好に当接させることができる。その結果、この画像形成装置は、帯電部材が感光体の画像形成領域の全領域を帯電させることができる。
【０１６５】
そのため、この画像形成装置は、帯電不良が感光体の画像形成領域の端部部分で発生するのを防止して、被転写体又は中間転写体の上に転写された現像剤像を汚す印字不良が発生するのを防止することができる。
【０１６６】
また、この画像形成装置は、感光層未塗布部や感光層液溜まり部を、画像形成領域よりも外側の小径部に設けることができる。その小径部は、大径部として形成されている画像形成領域よりも径が小さい。そのため、この画像形成装置は、段差部を感光層液溜まり部の標準的な厚さよりも高く形成することにより、感光層液溜まり部が被転写体又は中間転写体に当接するのを防止することができる。これによっても、この画像形成装置は、被転写体又は中間転写体上に転写された現像剤像を汚す印字不良が発生するのを防止することができる。
【０１６７】
また、第２発明に係る画像形成ユニットは、以下の特徴を有している。
第２発明は、感光層が導電性支持体上に形成されている感光体と、前記感光体の表面を帯電させる帯電部材と、現像剤を前記感光体に供給して、前記感光体の表面に現像剤像を形成する現像部材とを具備する画像形成ユニットであって、前記感光体は、前記現像剤像が形成される画像形成領域が径の大きな大径部として形成されているとともに、当該大径部よりも径の小さな小径部が当該大径部よりも軸方向の外側に設けられており、さらに、前記大径部と前記小径部とが段差部によって区切られている構成とする。
この画像形成ユニットは、第１発明に係る画像形成装置に用いることができる。
【符号の説明】
【０１６８】
１，２０１    画像形成装置（プリンタ）
２    筐体
３    上部カバー
４    媒体トレイ
５    スタッカ
６    搬送路
９    印字媒体（被転写体）
１０（１０Ａ，１０Ｂ），２１０（２１０Ａ，２１０Ｂ）    画像形成ユニット
１１（１１Ａ，１１Ｂ），２１１（２１１Ａ，２１１Ｂ）    感光ドラム（感光体）
１２（１２Ａ，１２Ｂ）    帯電ローラ（帯電部材）
１３（１３Ａ，１３Ｂ）    現像ローラ（現像部材）
１４    供給ローラ
１５    現像ブレード
１６    クリーニングブレード
２０（２０Ａ，２０Ｂ）    露光ヘッド（露光部）
３０    中間転写ユニット
３１    中間転写ベルト（中間転写体）
３２    ドライブローラ
３３    アイドルローラ
３４（３４Ａ，３４Ｂ）    ベルト転写ローラ
４０    定着ユニット
５１    トナー貯蔵容器
５２    トナーホッパー
５３，５４    撹拌部材
５５    廃トナー収容室
５６    廃トナー搬送部材
６１    分離ローラ
６２（６２ａ，６２ｂ）    搬送ローラ
６３    媒体転写ローラ
６４（６４ａ，６４ｂ）    排出ローラ
７１，２７１    素管（導電性支持体）
７１ａ    エッジ部
７１ｂ    コーナー部
７２，２７２    感光層
７２ａ    エッジ部
７８    感光層未塗布部
７９    感光層液溜まり部
８１（８１Ａ，８１Ｂ）    フランジ
８２（８２Ａ，８２Ｂ）    シャフト
８３（８３Ａ，８３Ｂ）    駆動ギヤ
９１（９１Ａ，９１Ｂ）    大径部
９２（９２Ａ，９２Ｂ）    小径部
９３（９３Ａ，９３Ｂ）    段差部
２７１Ｔ，２７２Ｔ，２９４（２９４Ａ，２９４Ｂ）    テーパ部（傾斜部）
１００１    外部Ｉ／Ｆ部
１００２    データ解析部
１００３    イメージデータ作成部
１００４    イメージデータ分割部
１００５    現像制御部
１００６Ａ    第１現像部
１００６Ｂ    第２現像部
Ｐ（ＰＬ，ＰＲ）    印字領域（画像形成領域）
ＰＤ    重複領域
ＰＮ１，ＰＮ２    非重複領域
ＴＮ    現像剤（トナー）
【図１】
2014044371.tif 000003
【図２】
2014044371.tif 000004
【図３】
2014044371.tif 000005
【図４】
2014044371.tif 000006
【図５】
2014044371.tif 000007
【図６】
2014044371.tif 000008
【図７】
2014044371.tif 000009
【図８】
2014044371.tif 000010
【図９】
2014044371.tif 000011
【図１０】
2014044371.tif 000012
【図１１】
2014044371.tif 000013